(57)【要約】【課題】ハンマーを操作杆に衝突させるようにした遠隔操作用ラチェット付きレンチを支障なく使用することができるようにする。【解決手段】操作杆（１）の先端（１ａ）にラチェット付きレンチ（３）を枢着し、該操作杆（１）にハンマー（２１）を衝突させることにより該ラチェット付きレンチ（３）を回動させるようにした遠隔操作用ラチェット付きレンチにおいて、ハンマー（２１）を操作杆（１）に衝突させたことによる衝撃により爪（１１）が回動してばね（１５）を動かしたときに該ばね（１５）が保持体（３１）に衝突しないようにするためのばね逃し用切欠部（３３）を保持体（３１）における一端（３１ａ）の下部に備えさせると共に、保持体（３１）の当該一端（３１ａ）における該ばね逃し用切欠部（３３）の上側部を爪（１１）が当接する爪当接部（３５）となす。【選択図】図１
2005007522.tif 000002
【特許請求の範囲】
【請求項１】
操作杆（１）の先端（１ａ）にラチェット付きレンチ（３）を枢着し、該操作杆（１）にハンマー（２１）を衝突させることにより該ラチェット付きレンチ（３）を回動させるようになし、
該ラチェット付きレンチ（３）は、ラチェット（７）を該ラチェット付きレンチ（３）の前端（３ａ）に回転自在に取り付け、該ラチェット（７）は中心にボルト頭、ナット等を嵌合させる嵌合部（９）を備え、該ラチェット（７）の近傍には爪（１１）を軸（１３）を介して枢着し、該爪（１１）の係止部（１１ａ）をラチェット（７）の歯（７ａ）に噛合させることによりラチェット（７）が所定の一方向にのみ回転するようになし、該爪（１１）の近傍には該爪（１１）を常時ラチェット（７）の方向に付勢するばね（１５）を保持体（３１）に保持させた状態で配設してなる遠隔操作用ラチェット付きレンチにおいて、
ハンマー（２１）を操作杆（１）に衝突させたことによる衝撃により爪（１１）が回動してばね（１５）を動かしたときに該ばね（１５）が保持体（３１）に衝突しないようにするためのばね逃し用切欠部（３３）を保持体（３１）における一端（３１ａ）の下部に備えさせると共に、保持体（３１）の当該一端（３１ａ）における該ばね逃し用切欠部（３３）の上側部を爪（１１）が当接する爪当接部（３５）となしたことを特徴とする遠隔操作用ラチェット付きレンチ。
【請求項２】
前記保持体（３１）は二枚の保持体構成板（３７）（３９）を上下に重ね合わせてなり、上側の保持体構成板（３７）における一端（３１ａ）を爪当接部（３５）となし、下側の保持体構成板（３９）における対応端（３１ａ）を上側の保持体構成板（３７）における当該一端（３１ａ）よりも短く形成することによりばね逃し用切欠部（３３）となしたことを特徴とする請求項１の遠隔操作用ラチェット付きレンチ。
【請求項３】
操作杆（１）の先端（１ａ）にラチェット付きレンチ（３）を枢着し、該操作杆（１）にハンマー（２１）を衝突させることにより該ラチェット付きレンチ（３）を回動させるようになし、
該ラチェット付きレンチ（３）は、ラチェット（７）を該ラチェット付きレンチ（３）の前端（３ａ）に回転自在に取り付け、該ラチェット（７）は中心にボルト頭、ナット等を嵌合させる嵌合部（９）を備え、該ラチェット（７）の近傍には爪（１１）を軸（１３）を介して枢着し、該爪（１１）の係止部（１１ａ）をラチェット（７）の歯（７ａ）に噛合させることによりラチェット（７）が所定の一方向にのみ回転するようになし、該爪（１１）の近傍には該爪（１１）を常時ラチェット（７）の方向に付勢するばね（１５）を保持体（３１）に保持させた状態で配設してなる遠隔操作用ラチェット付きレンチにおいて、
ハンマー（２１）を操作杆（１）に衝突させたことによる衝撃により爪（１１）が回動してばね（１５）を動かしたときに、該ばね（１５）が前記保持体（３１）に衝突しないように該保持体（３１）を配設すると共に、爪（１１）の近傍には爪（１１）がばね（１５）を越えて回動することを阻止するためのストッパー（４１）を設けたことを特徴とする遠隔操作用ラチェット付きレンチ。
【請求項４】
前記ハンマー（２１）を操作杆（１）の長さ方向に摺動自在に取り付け、該操作杆（１）におけるハンマー（２１）の前方部に備えさせた前方ハンマー受け部（２５）又は該操作杆（１）におけるハンマー（２１）の後方部に備えさせた後方ハンマー受け部（２７）に該ハンマー（２１）を衝突させることにより該ラチェット付きレンチ（３）を回動させるようにしたことを特徴とする請求項１〜３のいずれかの遠隔操作用ラチェット付きレンチ。
【発明の詳細な説明】
【０００１】
【発明の属する技術分野】
本発明は遠隔操作用ラチェット付きレンチに関するものである。本発明の遠隔操作用ラチェット付きレンチは、例えば自動車のエンジンルーム内のボルト、ナット等の如く、通常のラチェット付きレンチが使用し難いような狭い場所若しくは手の届き難い場所に配設されるボルト、ナット等を締め付け或いは緩める際に使用されるものである。
【０００２】
【従来の技術】
本出願人は、実用新案登録第３０５４８３６号により、遠隔操作用ラチェット付きレンチ（以下「従来の遠隔操作用ラチェット付きレンチ」という。）を提供している。
【０００３】
従来の遠隔操作用ラチェット付きレンチは、図６〜図８に示すように、操作杆１の先端１ａにラチェット付きレンチ３を枢着し、該操作杆１には重り２１を該操作杆１の長さ方向に摺動自在に取り付け、該操作杆１における重り２１の前方部に備えさせた前方重り受け部２５又は該操作杆１における重り２１の後方部に備えさせた後方重り受け部２７に該重り２１を衝突させるようにしたものである。
【０００４】
前記従来の遠隔操作用ラチェット付きレンチにおけるラチェット付きレンチは、ラチェット７を該ラチェット付きレンチ３の前端３ａに回転自在に取り付け、該ラチェット７は中心にボルト頭、ナット等を嵌合させる嵌合部９を備え、該ラチェット７の近傍には爪１１を軸１３を介して枢着し、該爪１１の係止部１１ａをラチェット７の歯７ａに噛合させることによりラチェット７が所定の一方向にのみ回転するようになし、該爪１１の近傍には該爪１１を常時ラチェット７の方向に付勢するばね１５を保持体３１に保持させた状態で配設してなるものである。
【０００５】
【特許文献１】
実用新案登録第３０５４８３６号公報（請求項１）
【０００６】
【発明が解決しようとする課題】
しかるに、従来の遠隔操作用ラチェット付きレンチにおいては、ラチェット７に噛合している爪１１を常時ラチェット７の方向に付勢するばね１５が重り２１の衝撃により損傷するという問題が生じている。
【０００７】
即ち、従来の遠隔操作用ラチェット付きレンチによりボルト、ナット等を締め付ける際には、操作杆１に対しラチェット付きレンチ３を図７に示すように所定の方向における適度の角度に回動させた状態で該ラチェット付きレンチ３の嵌合部９にボルト頭、ナット等を嵌合し、操作杆１に摺動自在に取り付けた重り２１を操作杆における前方重り受け部２５又は後方重り受け部２７に強く衝突させるのであるが、このとき、図６に示すように、ラチェット７に噛合している爪１１が衝撃により反時計方向に激しく回動し、ばね１５が該爪１１とばね１５の保持体３１との間に挟まって折れ曲がり或いは切断されるおそれがある。一方、爪１１がばね１５を反時計方向に通過し、以後、爪１１がばね１５により時計方向に戻されなくなるおそれもある。
【０００８】
上記いずれの場合にも、遠隔操作用ラチェット付きレンチは、以後、使用不能となる。
【０００９】
本発明は、従来の遠隔操作用ラチェット付きレンチにおける上述の如き問題を解消しようとしてなされたものである。
【００１０】
【課題を解決するための手段】
上記課題を解決するために、本発明は下記の遠隔操作用ラチェット付きレンチを提供する。
【００１１】
１．操作杆（１）の先端（１ａ）にラチェット付きレンチ（３）を枢着し、該操作杆（１）にハンマー（２１）を衝突させることにより該ラチェット付きレンチ（３）を回動させるようになし、
該ラチェット付きレンチ（３）は、ラチェット（７）を該ラチェット付きレンチ（３）の前端（３ａ）に回転自在に取り付け、該ラチェット（７）は中心にボルト頭、ナット等を嵌合させる嵌合部（９）を備え、該ラチェット（７）の近傍には爪（１１）を軸（１３）を介して枢着し、該爪（１１）の係止部（１１ａ）をラチェット（７）の歯（７ａ）に噛合させることによりラチェット（７）が所定の一方向にのみ回転するようになし、該爪（１１）の近傍には該爪（１１）を常時ラチェット（７）の方向に付勢するばね（１５）を保持体（３１）に保持させた状態で配設してなる遠隔操作用ラチェット付きレンチにおいて、
ハンマー（２１）を操作杆（１）に衝突させたことによる衝撃により爪（１１）が回動してばね（１５）を動かしたときに該ばね（１５）が保持体（３１）に衝突しないようにするためのばね逃し用切欠部（３３）を保持体（３１）における一端（３１ａ）の下部に備えさせると共に、保持体（３１）の当該一端（３１ａ）における該ばね逃し用切欠部（３３）の上側部を爪（１１）が当接する爪当接部（３５）となしたことを特徴とする遠隔操作用ラチェット付きレンチ（請求項１）。
【００１２】
２．前記保持体（３１）は二枚の保持体構成板（３７）（３９）を上下に重ね合わせてなり、上側の保持体構成板（３７）における一端（３１ａ）を爪当接部（３５）となし、下側の保持体構成板（３９）における対応端（３１ａ）を上側の保持体構成板（３７）における当該一端（３１ａ）よりも短く形成することによりばね逃し用切欠部（３３）となす（請求項２）。
【００１３】
３．操作杆（１）の先端（１ａ）にラチェット付きレンチ（３）を枢着し、該操作杆（１）にハンマー（２１）を衝突させることにより該ラチェット付きレンチ（３）を回動させるようになし、
該ラチェット付きレンチ（３）は、ラチェット（７）を該ラチェット付きレンチ（３）の前端（３ａ）に回転自在に取り付け、該ラチェット（７）は中心にボルト頭、ナット等を嵌合させる嵌合部（９）を備え、該ラチェット（７）の近傍には爪（１１）を軸（１３）を介して枢着し、該爪（１１）の係止部（１１ａ）をラチェット（７）の歯（７ａ）に噛合させることによりラチェット（７）が所定の一方向にのみ回転するようになし、該爪（１１）の近傍には該爪（１１）を常時ラチェット（７）の方向に付勢するばね（１５）を保持体（３１）に保持させた状態で配設してなる遠隔操作用ラチェット付きレンチにおいて、
ハンマー（２１）を操作杆（１）に衝突させたことによる衝撃により爪（１１）が回動してばね（１５）を動かしたときに、該ばね（１５）が前記保持体（３１）に衝突しないように該保持体（３１）を配設すると共に、爪（１１）の近傍には爪（１１）がばね（１５）を越えて回動することを阻止するためのストッパー（４１）を設けたことを特徴とする遠隔操作用ラチェット付きレンチ（請求項３）。
【００１４】
４．前記ハンマー（２１）を操作杆（１）の長さ方向に摺動自在に取り付け、該操作杆（１）におけるハンマー（２１）の前方部に備えさせた前方ハンマー受け部（２５）又は該操作杆（１）におけるハンマー（２１）の後方部に備えさせた後方ハンマー受け部（２７）に該ハンマー（２１）を衝突させることにより該ラチェット付きレンチ（３）を回動させるようになす（請求項４）。
【００１５】
【作用】
［請求項１の発明］
ハンマー（２１）を操作杆（１）に衝突させたときには、衝撃により爪（１１）が回動してばね（１５）をその力に抗して動かすことがある。その場合、ばね（１５）は保持体（３１）のばね逃し用切欠部（３３）に逃げ、保持体（３１）には衝突しない。従って、ばね（１５）が爪（１１）と保持体（３１）との間に挟まって折れ曲がり或いは切断されることはない。また、爪（１１）は保持体（３１）における該ばね逃し用切欠部（３３）の上側部に設けられた爪当接部（３５）に当接するため、爪（１１）がばね（１５）を越えて回動することはない。
【００１６】
［請求項２の発明］
保持体（３１）は二枚の保持体構成板（３７）（３９）を上下に重ね合わせてなり、上側の保持体構成板（３７）における一端（３１ａ）を爪当接部（３５）となし、下側の保持体構成板（３９）における対応端（３１ａ）を上側の保持体構成板（３７）における当該一端（３１ａ）よりも短く形成することによりばね逃し用切欠部（３３）となしたため、保持体（３１）を容易且つ安価に製造することができる。
【００１７】
［請求項３の発明］
ハンマー（２１）を操作杆（１）に衝突させたときには、衝撃により爪（１１）が回動してばね（１５）をその力に抗して動かすことがある。その場合、ばね（１５）は保持体（３１）には衝突しない。従って、ばね（１５）が爪（１１）と保持体（３１）との間に挟まって折れ曲がり或いは切断されることはない。また、爪（１１）はストッパー（４１）に当接するため、爪（１１）がばね（１５）を越えて回動することはない。
【００１８】
［請求項４の発明］
ハンマー（２１）は操作杆（１）の長さ方向に摺動自在に取り付けられ、前方ハンマー受け部（２５）又は後方ハンマー受け部（２７）に該ハンマー（２１）を衝突させることにより該ラチェット付きレンチ（３）を回動させる。
【００１９】
【発明の実施の形態】
次に、本発明の実施の形態を添付図面に従って説明する。
【００２０】
まず、本発明が適用される遠隔操作用ラチェット付きレンチについて説明する。この遠隔操作用ラチェット付きレンチは、操作杆１の先端１ａにラチェット付きレンチ３を軸５を介して枢着し、該操作杆１にハンマー２１を衝突させることにより該ラチェット付きレンチ３を回動させるようにしてなるものである。
【００２１】
前記ハンマー２１は、操作杆１とは別体のものとし、これを手で操作杆１に打ち付けるようにしてもよいが、ハンマー２１は、好ましくは、操作杆１の長さ方向に摺動自在に取り付け、該操作杆１におけるハンマー２１の前方部に備えさせた前方ハンマー受け部２５又は該操作杆１におけるハンマー２１の後方部に備えさせた後方ハンマー受け部２７に該ハンマー２１を衝突させることにより該ラチェット付きレンチ３を回動させるようになす。ハンマー２１は、操作杆１に対して着脱自在ならしめるために、一例として、ハンマー２１における外表面から中心方向に形成した切り欠き２３に操作杆１を挿通させる。操作杆１は基端１ｂに取っ手２を備えている。
【００２２】
また、前記ラチェット付きレンチ３は、ラチェット７を該ラチェット付きレンチ３の前端３ａに回転自在に取り付け、該ラチェット７は中心にボルト頭、ナット等を嵌合させる嵌合部９を備え、該ラチェット７の近傍には爪１１を軸１３を介して枢着し、該爪１１の係止部１１ａをラチェット７の歯７ａに噛合させることによりラチェット７が所定の一方向にのみ回転するようになし、該爪１１の近傍には該爪１１を常時ラチェット７の方向に付勢するばね１５を保持体３１に保持させた状態で配設してなるとする。
【００２３】
ばね１５は、爪１１を常時ラチェット７の方向に付勢し得るものであればいかなるものであってもよいが、例えば、コイルばね、板ばね等とする。
【００２４】
ばね１５は、一例として、ラチェット付きレンチ３に固定された保持体３１に形成された略Ｕ字状切欠部４３と該略Ｕ字状切欠部４３の内側に突設されたばね支持軸４５との間に支持される。
【００２５】
しかして、本発明においては、ハンマー２１を操作杆１に衝突させたことによる衝撃により爪１１が回動してばね１５を動かし、該ばね１５が爪１１と該ばね１５の保持体３１との間に挟まって折れ曲がり或いは切断され、或いは爪１１がばね１５を通過し、以後、爪１１がばね１５により元の位置に戻されなくなることを防止するために、ばね１５の保持体３１を下記の如く改良している。
【００２６】
即ち、図１〜図３に示す事例においては、ハンマー２１を操作杆１に衝突させたことによる衝撃により爪１１が回動してばね１５を動かしたときに該ばね１５が保持体３１に衝突しないようにするためのばね逃し用切欠部３３を保持体３１における一端３１ａの下部に備えさせると共に、保持体３１の当該一端３１ａにおける該ばね逃し用切欠部３３の上側部を爪１１が当接する爪当接部３５となしている。
【００２７】
図４に示す事例においては、保持体３１は二枚の保持体構成板３７、３９を上下に重ね合わせてなり、上側の保持体構成板３７における一端３１ａを爪当接部３５となし、下側の保持体構成板３９における対応端３１ａを上側の保持体構成板３７における当該一端３１ａよりも短く形成することによりばね逃し用切欠部３３となしている。
【００２８】
図５に示す事例においては、ハンマー２１を操作杆１に衝突させたことによる衝撃により爪１１が回動してばね１５を動かしたときに、該ばね１５が保持体３１に衝突しないように該保持体３１を配設すると共に、爪１１の近傍には爪１１がばね１５を越えて回動することを阻止するためのストッパー４１を設けている。
【００２９】
【発明の効果】
以上説明したように、本発明によれば、ハンマーを操作杆に衝突させたことによる衝撃により爪が回動してばねを動かし、該ばねが爪と該ばねの保持体との間に挟まって折れ曲がり若しくは切断され、或いは爪がばねを通過し、以後、爪がばねにより元の位置に戻されなくなるという問題は解消する。従って、本発明によれば、ハンマーを操作杆に衝突させるようにした遠隔操作用ラチェット付きレンチを支障なく使用することができる。
【図面の簡単な説明】
【図１】遠隔操作用ラチェット付きレンチにおけるラチェット付きレンチの一例を示す断面図である。
【図２】同上ラチェット付きレンチにおけるばねと保持体と爪とを示す正面図である。
【図３】保持体の一例を示す斜視図である。
【図４】保持体の別の一例を示す斜視図である。
【図５】遠隔操作用ラチェット付きレンチにおけるラチェット付きレンチの別の一例を示す断面図である。
【図６】従来の遠隔操作用ラチェット付きレンチを示す平面図である。
【図７】同上遠隔操作用ラチェット付きレンチの使用状態を示す平面図である。
【図８】図６のＶＩＩＩ−ＶＩＩＩにおける断面図である。
【符号の説明】
１  操作杆
１ａ  先端
１ｂ  基端
２  取っ手
３  ラチェット付きレンチ
３ａ  前端
５  軸
７  ラチェット
７ａ  歯
９  嵌合部
１１  爪
１１ａ  係止部
１３  軸
１５  ばね
２１  ハンマー
２３  切り欠き
２５  前方ハンマー受け部
２７  後方ハンマー受け部
３１  保持体
３１ａ  一端
３３  ばね逃し用切欠部
３５  爪当接部
３７  保持体構成板
３９  保持体構成板
４１  ストッパー
４３  略Ｕ字状切欠部
４５  ばね支持軸
【図１】
2005007522.tif 000003
【図２】
2005007522.tif 000004
【図３】
2005007522.tif 000005
【図４】
2005007522.tif 000006
【図５】
2005007522.tif 000007
【図６】
2005007522.tif 000008
【図７】
2005007522.tif 000009
【図８】
2005007522.tif 000010